(57)【要約】【課題】  取付け条件の拡大及び取付けに伴う作業効率の向上が可能なカーテンボックスの取付け構造を提供する。【解決手段】  壁面１６の任意の位置に固定された係止部材２を介して、壁面１６の任意の位置にカーテンボックス１を取り付けるカーテンボックスの取付け構造であって、カーテンボックス１を、天板４、前板６、後板２０及び二枚の側板８を備えた構成とし、側板８を、側板８と一体に成形されるとともに、後板２０よりも壁面１６側に突出した取付け部１２を有する構成とし、カーテンボックス１の側面視で取付け部１２と係止部材２が重なっている状態で、取付け部１２を係止部材２に取り付けることにより、カーテンボックス１を壁面１６の任意の位置へ取り付ける。【選択図】    図２
0003115327.tif 000002
【実用新案登録請求の範囲】
【請求項１】
壁面の任意の位置に固定された係止部材を介して前記壁面の任意の位置にカーテンボックスを取り付けるカーテンボックスの取付け構造であって、
前記カーテンボックスは、当該カーテンボックスの後面よりも前記壁面側に突出した取付け部を備え、
前記取付け部の少なくとも一部は、前記カーテンボックスの側面視で前記係止部材の少なくとも一部と重なった状態で係止部材の少なくとも一部に取付けられることを特徴とするカーテンボックスの取付け構造。
【請求項２】
前記取付け部は、前記カーテンボックスの側板と一体に成形されて、当該側板が前記壁面側に延長された形態をなしていることを特徴とする請求項１に記載したカーテンボックスの取付け構造。
【考案の詳細な説明】
【技術分野】
【０００１】
本考案は、壁面の任意の位置に取り付けられるカーテンボックスの取付け構造に関する。
【背景技術】
【０００２】
従来から、例えば、窓の上方の壁面において、この壁面の任意の位置に取り付けられるカーテンボックスとしては、図５に示すようなものが用いられている。このカーテンボックス１は、天板４、前板６、後板（図示せず）及び側板８を備えており、図６に示すように、天板４に取り付けられたＬ型ブラケット２２を介して、壁面１６の任意の位置に取り付けられている。なお、図６中に示す符号２４は窓を示している。
【考案の開示】
【考案が解決しようとする課題】
【０００３】
しかしながら、上述したようなカーテンボックス１は、天板４に取り付けられたＬ型ブラケット２２を介して、壁面１６の任意の位置に取り付けられているため、カーテンボックス１の上方、すなわち、カーテンボックス１と天井面２６との間に、Ｌ型ブラケット２２が配置可能な空間を確保する必要がある。このため、壁面１６のうち、カーテンボックス１を取付け可能な位置は、カーテンボックス１と天井面２６との間に、ある程度の空間を確保可能な位置に限定されてしまい、カーテンボックス１の取付け条件が限定されてしまう。
【０００４】
また、カーテンボックス１と天井面２６との間が狭い場合は、カーテンボックス１の取付け作業を行う作業空間が狭くなってしまうため、カーテンボックス１の取付け作業が困難となり、カーテンボックス１の取付けに伴う作業効率が低下してしまう。
本考案は、上記のような問題点に着目してなされたもので、カーテンボックスの取付け条件を拡大可能とするとともに、カーテンボックスの取付けに伴う作業効率の向上が可能なカーテンボックスの取付け構造を提供することを課題とする。
【課題を解決するための手段】
【０００５】
上記課題を解決するために、本考案のうち、請求項１に記載した考案は、壁面の任意の位置に固定された係止部材を介して前記壁面の任意の位置にカーテンボックスを取り付けるカーテンボックスの取付け構造であって、
前記カーテンボックスは、当該カーテンボックスの後面よりも前記壁面側に突出した取付け部を備え、
前記取付け部の少なくとも一部は、前記カーテンボックスの側面視で前記係止部材の少なくとも一部と重なった状態で係止部材の少なくとも一部に取付けられることを特徴とするものである。
【０００６】
本考案によれば、取付け部がカーテンボックスの後面よりも壁面側に突出しており、この取付け部の少なくとも一部が、カーテンボックスの側面視で、係止部材の少なくとも一部と重なった状態で係止部材に取付けられることにより、カーテンボックスが係止部材を介して壁面の任意の位置に取り付けられる。その結果、カーテンボックスの取付け位置が、カーテンボックスの上方に空間を確保可能な場所に限定されないため、カーテンボックスの取付け条件を拡大することが可能となる。
また、カーテンボックスの取り付け作業時に、カーテンボックスより上側における作業を必要としないため、カーテンボックスの取付け作業が容易となり、カーテンボックスの取付けに伴う作業効率を向上させることが可能となる。
【０００７】
次に、請求項２に記載した考案は、請求項１に記載した考案であって、前記取付け部は、前記カーテンボックスの側板と一体に成形されて、当該側板が前記壁面側に延長された形態をなしていることを特徴とするものである。
本考案によれば、取付け部がカーテンボックスの側板と一体に成形されているため、カーテンボックスの製造コストを低減することが可能となるとともに、カーテンボックスの製造工程が簡略化される。
また、取り付け部を壁面側の係止部材に固定するために、カーテンボックスの側方から釘打ちをすれば足りるため、カーテンボックスの取付け作業が容易となり、カーテンボックスの取付けに伴う作業効率を向上させることが可能となる。
【考案の効果】
【０００８】
本願考案によれば、カーテンボックスの取付け条件が拡大可能となるとともに、カーテンボックスの取付けに伴う作業効率の向上が可能となる。
【考案を実施するための最良の形態】
【０００９】
次に、本考案の実施形態について図面を参照しつつ説明する。
本実施形態のカーテンボックスの取付け構造は、図１に示すカーテンボックス１を、壁面（図示せず）の任意の位置に固定された係止部材２を介して、壁面の任意の位置に取り付けるものである。なお、壁面の任意の位置とは、壁面のうち、カーテンボックス１が取り付けられる予定の位置である。
【００１０】
係止部材２は、例えば、木材によって形成されており、釘（図示せず）等を用いて、壁面の任意の位置に固定される。また、係止部材２は、その形状が直方体となるように形成されている。なお、係止部材２の形状は、直方体に限定されるものではない。
カーテンボックス１は、天板４、前板６、後板（図示せず）及び二枚の側板８を備えている。なお、図１中では、二枚の側板８のうち一枚のみを示している。
【００１１】
天板４の内側面には、カーテン（図示せず）を取り付けるカーテンレール１０が固定されている。前板６は、天板４の前端に取り付けられており、後板は、天板４の後端に取り付けられている。
二枚の側板８は、天板４、前板６及び後板の両端部にそれぞれ取り付けられており、側板８と一体に成形された取付け部１２を有している。取付け部１２は、カーテンボックス１の後面、すなわち、後板よりも壁面側に突出しており、この突出部分の形状寸法が、カーテンボックス１の側面視で、係止部材２の形状寸法と同一となるように形成されている。また、取付け部１２は、取付け部１２をカーテンボックスの長手方向に貫通する二つの取付け孔１４が設けられている。なお、取付け孔１４の数は一つであってもよく、三つ以上であってもよい。
【００１２】
以下、図２を参照して、カーテンボックス１を壁面１６の任意の位置へ取り付ける手順について説明する。
まず、図２（ａ）に示すように、壁面１６の任意の位置に、係止部材２を固定する。このとき、係止部材２を固定する位置は、後述する取付け部１２を係止部材２に取り付ける作業において、係止部材２のカーテンボックスの長手方向外側の面が、取付け部１２のカーテンボックスの長手方向内側の面と対向する位置とする。
【００１３】
次に、図２（ｂ）に示すように、取付け部１２のカーテンボックスの長手方向内側の面を、係止部材２のカーテンボックスの長手方向外側の面と対向させるとともに、カーテンボックス１の側面視で、取付け部１２のカーテンボックスの長手方向内側の面の全体を、係止部材２のカーテンボックスの長手方向外側の面の全体と重ねた状態とする。そして、ビス１８を取付け孔１４に挿入して取付け部１２を係止部材２に取り付け、カーテンボックス１の壁面１６の任意の位置への取り付けを終了する。なお、図２（ｂ）中では、取付け孔１４の図示を省略している。
【００１４】
したがって、本実施形態のカーテンボックスの取付け構造であれば、壁面１６の任意の位置に固定した係止部材２に、カーテンボックス１の側面視で取付け部１２と係止部材２が重なっている状態で、カーテンボックス１の後板２０よりも壁面１６側に突出した取付け部１２が取付けられる。このため、カーテンボックス１の取付け作業時には、カーテンボックス１の側方に作業空間を確保すればよく、カーテンボックス１の上方に作業空間を確保する必要が無い。その結果、カーテンボックス１の取付け位置が、カーテンボックス１の上方に空間を確保可能な場所に限定されないため、カーテンボックス１の取付け条件を拡大することが可能となる。
【００１５】
また、本実施形態のカーテンボックスの取付け構造であれば、カーテンボックス１の取り付け作業時に、カーテンボックス１の上方に作業空間を確保する必要が無いため、カーテンボックス１の上方の空間の有無が、カーテンボックス１の取付け作業に影響を与えることがない。その結果、カーテンボックス１の取付けに伴う作業効率を向上させることが可能となる。
さらに、本実施形態のカーテンボックスの取付け構造であれば、取付け部１２が、側板８と一体に成形されているため、カーテンボックス１の製造コストを低減することが可能となる。また、カーテンボックス１の製造工程が簡略化され、カーテンボックス１の製造効率が向上する。
【００１６】
また、本実施形態のカーテンボックスの取付け構造であれば、取付け部１２が、カーテンボックス１の後板２０よりも壁面１６側に突出しており、この突出部分の形状寸法が、カーテンボックス１の側面視で、係止部材２の形状寸法と同一となるように形成されている。このため、カーテンボックス１を壁面１６の任意の位置へ取り付けた状態では、係止部材２が室内側、特にカーテンボックス１の前面側及び側面側から見えにくい位置に配置されることとなり、カーテンボックス１を見栄え良く取り付けることが可能となる。
【００１７】
また、本実施形態のカーテンボックスの取付け構造であれば、従来用いられていたようなＬ型ブラケットが、天板４の上面に取り付けられることが無いため、天板４の上面全てを、例えば、棚として使用することが可能となる。その結果、例えば、長尺の棒等を、天板４の上面に載置することが可能となる。
また、本実施形態のカーテンボックスの取付け構造であれば、係止部材２及び取付け部１２の形状寸法を変更することにより、カーテンボックス１と壁面１６との距離を変更することが可能となる。このため、例えば、カーテンボックス１と壁面１６との距離を拡げることにより、カーテンと壁面１６及び窓との接触を回避することが可能となり、カーテンの円滑な開閉が可能となる。
【００１８】
なお、本実施形態のカーテンボックスの取付け構造では、取付け部１２を側板８と一体に成形したが、これに限定されるものではなく、取付け部１２を側板８と別体に成形してもよい。この場合、図３に示すように、取付け部１２を後板に取り付け、係止部材２を、係止部材２のカーテンボックスの長手方向内側の面が、取付け部１２のカーテンボックスの長手方向外側の面と対向する位置に固定してもよい。
【００１９】
また、本実施形態のカーテンボックスの取付け構造では、取付け部１２を側板８と一体に成形したことにより、取付け部１２が板状に成形されるとともに、取付け部１２が側板８に対して平行をなしているが、これに限定されるものではない。すなわち、例えば、図４に示すように、取付け部１２を側板８と別体に成形し、取付け部１２を側板８に対して傾斜した状態で後板２０に取り付けるとともに、係止部材２を取付け部１２の傾斜に対応した形状に形成してもよい。この場合、カーテンボックス１の荷重が、取付け部１２と係止部材２との接触部によって支持されることとなるため、カーテンボックス１の取付け作業が容易となり、カーテンボックス１の取付けに伴う作業効率を向上させることが可能となる。
【００２０】
さらに、本実施形態のカーテンボックスの取付け構造では、取付け部１２のカーテンボックスの長手方向内側の面の全体が、係止部材２のカーテンボックスの長手方向外側の面の全体と、カーテンボックス１の側面視で重なっている状態で、取付け部１２を係止部材２に取り付けたが、これに限定されるものではない。すなわち、取付け部１２の少なくとも一部が、カーテンボックス１の側面視で、係止部材２の少なくとも一部と重なった状態で、取付け部１２を係止部材２に取り付けてもよい。
【００２１】
また、本実施形態のカーテンボックスの取付け構造では、取付け部１２を、ビス１８を取付け孔１４に挿入して係止部材２に取り付けたが、これに限定されるものではなく、接着剤によって取付け部１２を係止部材２に取り付けてもよい。この場合、取付け部１２に取付け孔１４を設けなくてもよい。また、ビス１８と接着剤を併用して、取付け部１２を係止部材２に取り付けてもよい。
【００２２】
また、本実施形態のカーテンボックスの取付け構造では、天板４にカーテンレール１０が固定されている構成としたが、これに限定されるものではない。すなわち、例えば、壁面１６の任意の位置にカーテンレール１０が既設である場合等は、天板４がカーテンレール１０を有していない構成とし、カーテンレール１０の壁面１６の任意の位置への取付け状態に応じて、後板２０の形状を変更すればよい。
【図面の簡単な説明】
【００２３】
【図１】本考案のカーテンボックスの取り付け構造を示す図である。
【図２】カーテンボックスの壁面の任意の位置への取り付け手順を示す図である。
【図３】本考案のカーテンボックスの取り付け構造の変形例を示す図である。
【図４】本考案のカーテンボックスの取り付け構造の変形例を示す図である。
【図５】従来のカーテンボックスの取り付け構造を示す図である。
【図６】従来のカーテンボックスの取り付け構造を示す図である。
【符号の説明】
【００２４】
１    カーテンボックス
２    係止部材
４    天板
６    前板
８    側板
１０  カーテンレール
１２  取付け部
１４  取付け孔
１６  壁面
１８  ビス
２０  後板
２２  Ｌ型ブラケット
２４  窓
２６  天井面
【図１】
0003115327.tif 000003
【図２】
0003115327.tif 000004
【図３】
0003115327.tif 000005
【図４】
0003115327.tif 000006
【図５】
0003115327.tif 000007
【図６】
0003115327.tif 000008